(57)【要約】【課題】  通帳類にプレ印刷されている通帳固有情報を高い精度で読み取り、印刷部での通帳固有情報の印刷を正確に行うことができるようにする。【解決手段】  事前に通帳固有情報を記載するとともに、通帳固有情報データを記録した無線ＩＣを内蔵する通帳類Ｔを搬送する搬送ローラ対２と、この搬送ローラ対２によって搬送される通帳類Ｔの無線ＩＣに記録されている通帳固有情報データを無線通信で読み取る無線ＩＣリーダライタ５と、この無線ＩＣリーダライタ５によって読み取られた通帳固有情報データに基づいて通帳類Ｔに通帳固有情報を印刷する中間転写印刷部８とを具備する。【選択図】      図１
2005332141.tif 000002
【特許請求の範囲】
【請求項１】
事前に通帳固有情報を記載するとともに、前記通帳固有情報のデータを記録した前記無線ＩＣを内蔵する通帳類を搬送する搬送手段と、
この搬送手段によって搬送される通帳類の無線ＩＣに記録されている通帳固有情報データを無線通信で読み取る無線読取手段と、
この無線読取手段によって読み取られた通帳固有情報データに基づいて前記通帳類に通帳固有情報を印刷する印刷手段と
を具備すること特徴とする通帳類の印刷装置。
【請求項２】
通帳固有情報データを入力する入力手段と、
通帳固有情報データを記録した無線ＩＣを内蔵する通帳類を搬送する搬送手段と、
この搬送手段によって搬送される通帳類の無線ＩＣに記録されている通帳固有情報データを無線通信で読み取る無線読取手段と、
この無線読取手段によって読み取られた通帳固有情報データと前記入力手段によって入力された通帳固有情報データとが一致するか否かを判別する判別手段と、
この判別手段により通帳固有情報が一致すると判別されるのに基づいて前記通帳類に通帳固有情報を印刷する印刷手段と
を具備すること特徴とする通帳類の印刷装置。
【請求項３】
前記判別手段により通帳固有情報データが一致しないと判別されるのに基づいてその旨を通知するとともに、前記印刷手段の印刷動作を停止させることを特徴とする請求項２記載の通帳類の印刷装置。
【請求項４】
種別を含む通帳固有情報データを入力する入力手段と、
種別を含む通帳固有情報データを記録した無線ＩＣを内蔵する通帳類を搬送する搬送手段と、
この搬送手段によって搬送される通帳類の無線ＩＣに記録されている種別を含む通帳固有情報データを無線通信で読み取る無線読取手段と、
この無線読取手段によって読み取られた種別を含む通帳固有情報データと前記入力手段によって入力された種別を含む通帳固有情報データとが一致するか否かを判別する判別手段と、
この判別手段により種別を含む通帳固有情報データが一致すると判別されるのに基づいて前記通帳類に通帳固有情報を印刷する印刷手段と
を具備すること特徴とする通帳類の印刷装置。
【請求項５】
前記種別を含む通帳固有情報データが一致すると判別されるのに基づいて前記印刷手段が前記種別に応じた動作をするように制御する制御手段を備えることを特徴とする請求項４記載の通帳類の印刷装置。
【請求項６】
前記判別手段により通帳固有情報データが一致しないと判別されるのに基づいてその旨を通知するとともに、前記印刷手段の印刷動作を停止させることを特徴とする請求項４記載の通帳類の印刷装置。
【請求項７】
事前に通帳固有情報を印刷するとともに、前記通帳固有情報データを記録した無線ＩＣを内蔵する通帳類を搬送手段によって搬送する工程と、
前記搬送手段によって搬送される通帳類の無線ＩＣに記録されている通帳固有情報データを無線読取手段によって無線通信で読み取る工程と、
前記無線読取手段によって読み取られた通帳固有情報のデータに基づいて前記通帳類に通帳固有情報を印刷する工程と、
を具備すること特徴とする通帳類の印刷方法。
【発明の詳細な説明】
【技術分野】
【０００１】
本発明は、例えば、金融機関等で用いられる通帳類の印刷装置及び印刷方法に関する。
【背景技術】
【０００２】
通帳類等の媒体に単色または複数色の印刷を行う印刷装置のひとつに中間転写媒体として中間転写フィルムを用いる中間転写方式の印刷方式が知られている。この印刷装置の構成は、印刷部と、転写部と、これら印刷部と転写部との間を跨るように配置された中間転写フィルムを搬送するフィルム搬送部とを備えている。
【０００３】
印刷部はサーマルヘッド及びインクリボンを有している。転写部はヒートローラ及びバックアップローラを有している。フィルム搬送部は搬送ローラ及び搬送ローラに中間転写フィルムを固定するためのクランパを有している。
【０００４】
印刷時には、中間転写フィルムが印刷部に搬送される。この印刷部では、サーマルヘッドが所定情報に応じて発熱しインクリボンのインクを溶融しながらフィルムをクランプ搬送する。これにより、中間転写フィルムの表面に文字や画像等の印刷情報が印刷される。
【０００５】
情報が印刷された中間転写フィルムは転写部のヒートローラとバックアップローラとの間に搬送される。このとき、転写面が中間転写フィルムに対向するように配置された通帳類等の媒体がヒートローラとバックアップローラとの間に送りこまれる。この状態からヒートローラが回転されて中間転写フィルム及び通帳類がバックアップローラに押し付けられるとともに加熱され、印刷情報が通帳類の表面に転写される。
【０００６】
中間転写フィルムは長尺の基材フィルムと、この基材フィルム上の塗布された転写層とにより構成され、転写部においては転写層上に印刷された印刷情報とともに転写層が通帳類に転写される（例えば、特許文献１参照。）。
【０００７】
ところで、所持人情報など印刷物毎に異なる可変情報等が印刷されて完成される通帳類のセキュリティ性向上を考える上で、可変情報等の印刷情報が印刷される前の、未使用（未印刷）の通帳類そのものの盗難、盗難に伴う偽変造通帳類の行使に対する対応策が求められている。
【０００８】
この対策の一つとして、各々の通帳類を見分けるために通帳類の製造工程で通帳固有情報を付与しておくことが考えられる。この通帳固有情報と、後から印刷装置で付与される所持人情報等の印刷情報の両方を同時に組み合わせて管理することで、仮に未使用通帳類の盗難が発生した場合でも、偽変造された通帳類の発見や偽変造に関する抑止に効果が得られる。
【０００９】
さらには、通帳固有情報をそのまま、もしくは変化させて、印刷装置で付与される印刷情報の一部に加えて印刷することが望ましい。
【特許文献１】特開２００４−７４５４５７号公報
【発明の開示】
【発明が解決しようとする課題】
【００１０】
ところで、通帳固有情報は、従来、シリアル番号等として通帳類の表紙や内側のページにプレ印刷されている。このため印刷装置では、文字の通帳固有情報を光学式ＯＣＲ、またはバーコードであれば光学式バーコードリーダで読み取る必要があった。
【００１１】
しかしながら、ＯＣＲの場合は印刷条件などによって認識率が低下する可能性があり、セキュリティ通帳類の印刷装置に組み込む用途としては不安が残ること、また、バーコードの場合はデザインの観点から使用者に望まれないことが多くあった。
【００１２】
本発明は上記事情に着目してなされたもので、その目的とするところは、通帳類にプレ印刷されている通帳固有情報を高い精度で読み取り、印刷部での通帳固有情報の印刷を正確に行うことができる通帳類の印刷装置及び印刷方法を提供することにある。
【課題を解決するための手段】
【００１３】
上記課題を解決するため、請求項１記載のものは、事前に通帳固有情報を記載するとともに、前記通帳固有情報のデータを記録した前記無線ＩＣを内蔵する通帳類を搬送する搬送手段と、この搬送手段によって搬送される通帳類の無線ＩＣに記録されている通帳固有情報データを無線通信で読み取る無線読取手段と、この無線読取手段によって読み取られた通帳固有情報データに基づいて前記通帳類に通帳固有情報を印刷する印刷手段とを具備すること特徴とする。
【００１４】
請求項２記載のものは、通帳固有情報データを入力する入力手段と、通帳固有情報データを記録した無線ＩＣを内蔵する通帳類を搬送する搬送手段と、この搬送手段によって搬送される通帳類の無線ＩＣに記録されている通帳固有情報データを無線通信で読み取る無線読取手段と、この無線読取手段によって読み取られた通帳固有情報データと前記入力手段によって入力された通帳固有情報データとが一致するか否かを判別する判別手段と、この判別手段により通帳固有情報が一致すると判別されるのに基づいて前記通帳類に通帳固有情報を印刷する印刷手段とを具備すること特徴とする。
【００１５】
請求項４記載のものは、種別を含む通帳固有情報データを入力する入力手段と、種別を含む通帳固有情報データを記録した無線ＩＣを内蔵する通帳類を搬送する搬送手段と、この搬送手段によって搬送される通帳類の無線ＩＣに記録されている種別を含む通帳固有情報データを無線通信で読み取る無線読取手段と、この無線読取手段によって読み取られた種別を含む通帳固有情報データと前記入力手段によって入力された種別を含む通帳固有情報データとが一致するか否かを判別する判別手段と、この判別手段により種別を含む通帳固有情報データが一致すると判別されるのに基づいて前記通帳類に通帳固有情報を印刷する印刷手段とを具備すること特徴とする。
【００１６】
請求項７記載のものは、事前に通帳固有情報を印刷するとともに、前記通帳固有情報データを記録した無線ＩＣを内蔵する通帳類を搬送手段によって搬送することと、前記搬送手段によって搬送される通帳類の無線ＩＣに記録されている通帳固有情報データを無線読取手段によって無線通信で読み取ることと、前記無線読取手段によって読み取られた通帳固有情報のデータに基づいて前記通帳類に通帳固有情報を印刷することとを具備すること特徴とする。
【発明の効果】
【００１７】
本発明によれば、通帳類に事前に記載された通帳固有情報と印刷手段によって通帳類に印刷された通帳固有情報との不一致を少なくして無駄な印刷を防止できる。
【発明を実施するための最良の形態】
【００１８】
以下、本発明を図面に示す実施の形態を参照して詳細に説明する。  
図１は本発明の一実施の形態である通帳類印刷装置を示す全体構成図である。
【００１９】
この通帳類印刷装置は装置本体１を備え、この装置本体１の正面下部側には通帳類Ｔの出入口１ａが設けられている。通帳類Ｔは開かれた状態で一冊づつ出入口１ａから挿入されるようになっている。
【００２０】
この挿入された通帳類Ｔは搬送手段としての複数個の搬送ローラ対２の正回転によって搬送路３に沿って矢印ａ方向に搬送される。搬送路３中には通帳類Ｔの搬送方向に沿って無線読取手段としての無線ＩＣリーダライタ５、ページマーク検出センサ６、印刷手段としての中間転写印刷部８が配設されている。通帳類Ｔは処理後、搬送ローラ対２の逆回転によって出入口１ａに戻されるようになっている。
【００２１】
図２は、上記した中間転写印刷部８を示すものである。
【００２２】
中間転写印刷部８は機能的に情報印刷部（以下、印刷部という）１６と、オーバーコート転写部（以下、転写部という）１７とを有して構成されている。
【００２３】
印刷部１６としては熱溶融転写印刷方式のものが採用されている。即ち、サーマルヘッド１９とプラテンローラ２０に挟まれるように溶融インクリボン２２と中間転写フィルム２１とを配置し、サーマルヘッド１９により溶融インクリボン２２のインクを中間転写フィルム２１の表面に転写して情報等を印刷する。
【００２４】
この熱溶融転写方式の特徴としては、画像耐久性が高いこと、インク材料に機能性材料を適用することが比較的容易なこと（例えば蛍光顔料、アルミ蒸着薄膜）などがあり、偽造防止を目的とする印刷物に適している。
【００２５】
溶融インクリボン２２のベースフィルム厚やインク層厚は、印刷ドット再現性に極めて重要なパラメータであり、インクリボン層厚としては３〜２５μｍであり、望ましくは４〜１０μｍである。
【００２６】
一方、中間転写フィルム２１の後述するベースフィルムの厚さや、受像兼接着層厚は、接着性や膜切れ特性に影響を与えるパラメータであり、中間転写フィルム２１の層厚は、１０〜１００μｍであり、望ましくは２５〜５０μｍである。
【００２７】
プラテンローラ２０は硬質のゴム材料を表面に用いたローラで、ゴム硬度が上がるほどに微小ドットの再現性が向上するが、同時に最適なプラテンローラ２０とサーマルヘッド１９の位置関係を得ることが難しくなる。このため、硬度は７５°以上、望ましくは８０〜９５°である。同時に研磨したゴム表面の表面粗さも、表面平滑性が上がるほどに微小ドットの再現性が向上する。このため、表面粗さは中心線平均粗さＲａで１μｍ以下、望ましくは０．５μｍ程度であることが要求される。
【００２８】
中間転写フィルム２１を搬送する駆動力は、一般的にプラテンローラ２０に駆動機構を設けることが多いが、上記の硬度と平滑性から中間転写フィルム２１とプラテンローラ２０の摩擦係数が上がらず、また安定しない。このため、プラテンローラ２０の下流（ヒートローラ側）直近に別途フィルム駆動ローラ２３を設ける。フィルム駆動ローラ２３は硬度３０〜６０°のローラを用い、中間転写フィルム２１はフィルム駆動ローラ２３に対して出来るだけ巻付き角が大きいほうが良い。実施例では９０°から１３０°の巻き付き角をえられるようにテンショナ２４を配置する。
【００２９】
テンショナ２４には図示しないバネ機構が設けられ、限られた可動範囲内で中間転写フィルム２１にテンションを与えて、フィルム駆動ローラ２３と中間転写フィルム２１が常に適切に接触する状態を作り出す。フィルム駆動ローラ２３の駆動は５相ステッピングモータ、タイミングベルト、プーリによる減速機構の組み合わせにより、正確に搬送が行われる。また、サーマルヘッド１９はニアエッジ、またはコーナエッジタイプのヘッドを用い、熱時剥離による印刷を行うことが望ましい。
【００３０】
また、転写部１７は通帳類搬送路３を介して対向配置されるヒートローラ３５とバックアップローラ３６を備えている。ヒートローラ３５はＤＣサーボモータ若しくはステッピングモータにより正確に一定速度で駆動可能になっており、回転自在なバックアップローラ３６との間にはコイルバネ３７で発生された圧力が付与されるようになっている。
【００３１】
図３（ａ）〜（ｃ）は中間転写フィルム２１の構成を示す断面図である。
【００３２】
図３（ａ）に示す中間転写フィルム２１は、基材としてのポリエチレンテレフタレート（以下、ＰＥＴという）のフィルム２６の表面に、透明樹脂によるホログラム形成層と金属化合物の蒸着層による透明ホログラム層２８、受像層兼接着層としてのポリエステル系樹脂２９を積層したものである。
【００３３】
また、図３（ｂ）に示す中間転写フィルム２１は、基材としてのＰＥＴフィルム２６の表面に、剥離層としてのフェノキシ系樹脂２７、透明樹脂によるホログラム形成層と金属化合物の蒸着層による透明ホログラム層２８、受像層兼接着層としてのポリエステル系樹脂２９を積層したものである。
【００３４】
さらに、図３（ｃ）に示す中間転写フィルム２１は、基材としてのＰＥＴフィルム２６の表面に、剥離層としてのフェノキシ系樹脂２７、保護層３０、透明樹脂によるホログラム形成層と金属化合物の蒸着層による透明ホログラム層２８、受像層兼接着層としてのポリエステル系樹脂２９を積層したものである。
【００３５】
その他、中間転写フィルム２１としては紫外線によって発光する蛍光発色層などの機能層を設け、転写対象への転写と同時にこれらの機能層も転写するものであってもよい。
【００３６】
図４は未使用（未印刷）の通帳類Ｔを開いた状態で示すものである。
【００３７】
この通帳類Ｔは表紙Ｔａを有し、この表紙Ｔａには綴じ目部Ｔｔを介して複数枚の中紙Ｔｎが綴じ込められている。中紙Ｔｎには通帳類固有情報としての通帳類固有番号４２が記載されているとともに、無線ＩＣ４３が内蔵されている。
【００３８】
無線ＩＣ４３は主にＩＣ本体４３ａとアンテナ４３ｂとが組み合わされて、柔軟性のあるシート状や剛性のあるカード状に形成されている。この無線ＩＣ４３は、通帳類Ｔの１ページとして貼り付けられたり、綴じ糸で入れ込まれたりしている。ここでは、図９にも示すように表紙Ｔａをめくった見返し内側に無線ＩＣ４３を貼り付けている。なお、無線ＩＣ４３は図  に示すように通帳類Ｔの中央ページ近くに貼り付けるようにしても良い。
【００３９】
上記通帳固有情報４２は文字として印刷され、この文字は、通帳類Ｔの製造工程で付与されている。また、製造工程では同時に、上記の通帳固有情報のデータが無線ＩＣ４３に書き込まれている。
【００４０】
なお、通帳固有情報に含まれる情報としては、通帳類製造時のシリアル番号である連続番号が挙げられる。その他の固有情報として、通帳類そのものの種別の違いを示す種別、例えば物理的な形状のサイズや厚さ、構成ページ枚数などが考えられる。
【００４１】
さらには固有情報として、通帳類の使用方法の違いに関する種別、例えば印刷装置が印刷するページ番号、印刷装置が印刷する内容の位置や種類などが考えられる。
【００４２】
図５は上記した通帳類印刷装置１の駆動制御系を示すブロック図である。
【００４３】
図中５１はデータ入力制御部で、このデータ入力制御部５１に印刷装置が接続されている。データ入力制御部５１には主制御部５２が設けられ、この主制御部５２には制御回路を介してメモリ５３、インターフエース部５４、操作パネル５５、及び画像入力部５６が接続されている。
【００４４】
印刷装置１には装置制御部（判別手段）５８が設けられ、この装置制御部５８には制御回路を介して中間転写画像処理部６８、ヒータ温度制御部６０、通帳類搬送制御部６１、画像形成制御部６２、Ｒ／Ｗ制御部７３、ページマーク認識部６９が配設されている。
【００４５】
上記した中間転写画像処理部６８にはサーマルヘッド１９の印字動作を制御するヘッド制御部６４が接続されている。ヒータ温度制御部６０には制御回路を介してヒートローラ３５のヒータ６５が接続されている。通帳類搬送制御部６１には制御回路を介して通帳類搬送機構２Ａ、通帳類取込機構４が接続されている。画像形成制御部６２には制御回路を介して転写リボン搬送機構３２ａ、サーマルヘッド１９を移動させるヘッド移動機構１９ａ、ヒートローラ３５を回転させる回転機構３５ａが接続されている。Ｒ／ｗ制御部７３には、無線ＩＣ Ｒ／Ｗ部５が接続されている。ページマーク認識部６９には読取光学系６が接続されている。
【００４６】
次に、上記したように構成される通帳類印刷装置の印刷動作について説明する。
【００４７】
まず、オペレータはデータ入力制御部５１で、これから作成する通帳類の所持人データや写真画像情報、通帳類の種別情報等を入力しておく。この時、通帳固有情報に関する情報に関して、オペレータは関与しない。
【００４８】
つぎに、オペレータは、印刷装置またはデータ入力制御部５１が通帳類取込可能の表示を示した後に、通帳類Ｔを開いた状態にして通帳類出入口１ａから挿入する。この挿入された通帳類Ｔは搬送ローラ対２により挟持搬送される。この通帳類Ｔは、無線ＩＣリーダライタ５に搬送されて、その無線ＩＣ４３とリーダライタ５が交信し、無線ＩＣ４３から通帳固有情報データが読み出される。この時、無線ＩＣ４３が故障していて交信が成立しなかったり、交信が可能でも無線ＩＣ４３内の通帳類固有番号が規定と異なる場合は、印刷装置はその旨をオペレータに図示しないランプや警報などにより通知し、取り込んだ通帳類Ｔを出入口１ａに戻す。
【００４９】
また、通帳固有情報に含まれる種別が、データ入力制御部５１に入力された通帳類Ｔの種別情報と一致しない場合は、印刷装置はその旨をオペレータに通知し、取り込んだ通帳類Ｔを出入口１ａに戻す。
【００５０】
正常な交信が成立した場合は、リーダライタ５で読み取った通帳固有情報をデータ入力制御部５１に送る。データ入力制御部５１では、通帳類の所持人データや写真画像情報、通帳類の種別情報等に通帳固有情報、またはそれに関連した情報を組み込み、印刷データを完成する。完成した印刷データは、データ入力制御部５１から印刷装置に送信される。
【００５１】
挿入された通帳類Ｔは光学式センサ部に搬送されてページマークが光学式センサ６で読み取られ、開かれた通帳類のページが正しいか、通帳類の挿入方向が正しいかがチェックされる。このチェック後、通帳類Ｔは中間転写ユニット８に搬送され、中間転写ユニット８により上記したように作成された印刷データに基づいて情報が印刷、転写される。
【００５２】
即ち、印刷データに基づいてサーマルヘッド１９が動作され、Ｙ（イエロー），Ｍ（マゼンタ），Ｃ（シアン）の三原色のインクに加えて必要に応じて黒インクの４色を重ね合せて所持人の顔画像を中間転写フィルム２１の表面にカラー印刷する。これら複数色のインクの重ね合わせによる印刷は、中間転写フィルム２１がサーマルヘッド１９をインクの色数と同じ回数往復することで行われる。また、印刷される情報は、反転画像であるという特徴がある。なお、印刷色は上記４色のインクに加えて、蛍光顔料を含んだインクなど機能性インクを付与してもよい。
【００５３】
この所持人の顔画像のカラー印刷とともに、通帳固有情報が付与されたセキュリティ情報が中間転写フィルム２１の表面にサーマルヘッド１９により印刷される。
【００５４】
このようにカラー顔画像、及び通帳固有情報が付与されたセキュリティ情報が印刷された中間転写フィルム２１は順方向（ヒートローラ３５の方向）に巻き取られ、図６（ａ）に示すように経路途中の転写部マーク検知センサ３９によって中間転写フィルム２１の位置が把握される。この把握結果に基づいて転写開始位置まで中間転写フィルム２１が送られる。
【００５５】
また、このとき通帳類Ｔは、転写される頁が開かれた状態で図６（ｂ）に示すように取り込まれて、ヒートローラ３５に対して決められた位置に搬送される。転写される頁は、表紙見返し頁でも、他の中紙頁でもかまわない。
【００５６】
このように互いに位置決めされた中間転写フィルム２１と通帳類Ｔの該当ベージは、図６（ｃ）に示すように円周の一部が切り欠かれた形状の金属製のヒートローラ３５の回転と共に合わされ、搬送と同時に加圧されるとともに加熱される。その後、図７に示すように通帳類Ｔに対して６０°〜１１０°の角度をもって転写フィルムベース２６が引き上げられて、固有印刷情報と受像兼接着層２９、ホログラム層２８の転写が完了し、図８に示すように通帳類Ｔが作成される。
【００５７】
即ち、通帳類Ｔの上側ページＴｎには、通帳固有情報が文字で付与されており、固有情報を含むデータが無線ＩＣ４３の内部にも書き込まれている。下側ページＴａには、通帳類の所持人カラー顔画像４４と、所持人やその他のセキュリティ情報４６に加えて通帳固有情報４２ａが黒文字で印刷されている。
【００５８】
一方、中間転写ユニット８の動作は、通帳固有情報に含まれる物理的形状の違いに関する種別に基づき、制御される。
【００５９】
例えば、通帳類Ｔの厚さ（ページ数、ＩＣ構成ページの厚さ等）に関する種別であれば、中間転写ユニット８の転写部加圧機構における圧力や、転写エリア位置が制御される。
【００６０】
通帳類Ｔの中間転写ユニット８で転写されるページの紙質に関する種別であれば、中間転写ユニット８の転写部における転写速度や、ヒートローラ温度が制御される。
【００６１】
通帳類の印刷フォーマットに関する種別であれば、中間転写ユニットの印刷部印刷画面構成が制御、変更される。
【００６２】
保守等に用いるテスト通帳類であれば、中間転写ユニットの印刷部印刷内容をテスト専用の印刷内容にすることで、通帳類との区別を容易にする。
【００６３】
上記したようにして印刷情報が通帳類Ｔに印刷されたのちは、搬送ローラ対２が逆回転されて図１に示す矢印ｂ方向に通帳類Ｔが逆送される。この逆送される通帳類Ｔは無線ＩＣ Ｒ／Ｗ５に搬送され通帳類の所持人に関する情報が無線ＩＣ４３に書き込まれる。所持人に関する情報の例としては、顔写真や指紋、その他所持人特定が可能な生体情報、或いは、所持人の署名であったり、所持人の性別、背の高さ等の特徴などである。この時、無線ＩＣ４３の故障等の不具合により交信が成立しない場合は、印刷装置はその旨をオペレータに表示し、通帳類Ｔを出入口１ａに戻して排出する。ここでは、印刷の前工程、後工程の無線ＩＣ４３との交信に単一の無線ＩＣ Ｒ／Ｗ５を用いており、コストの削減、装置の小型化が可能となっている。
【００６４】
なお、上記した実施の形態では、無線ＩＣ４３に記録した通帳固有情報を無線ＩＣ Ｒ／Ｗ５で読み取って印刷データに組み込むものであったが、これに限られることなく、データ入力制御部に通帳固有情報を入力して印刷データに組み込むようにしても良い。
【００６５】
次に、データ入力制御部５１に通帳固有情報を入力する実施の形態について説明する。
【００６６】
まず、オペレータはデータ入力制御部５１に、これから作成する通帳類の所持人データや写真画像情報等と同時に、通帳固有情報も入力しておく。この時、通帳固有情報は、オペレータが通帳固有情報を目視で確認して、データ入力制御部５１に接続されているキーボードから入力する。或いは、データ入力制御部５１に接続されているＯＣＲリーダや無線ＩＣリーダライタ（印刷装置内蔵のリーダライタとは別）を用いて、通帳固有情報を入力することが考えられる。
【００６７】
データ入力制御部５１では、通帳類の所持人データや写真画像情報、通帳類の種別情報等に通帳固有情報、またはそれに関連した情報を組み込み、印刷データを完成する。完成した印刷データは、印刷装置に送信される。
【００６８】
印刷装置に該当の通帳類が取り込まれる前に、データ入力制御部５１は印刷データを印刷装置に送信し、印刷装置内部の中間転写ユニット８では該当の印刷データを中間転写リボン上に形成していく。
【００６９】
この時、例えば、特開２００４−７４５５７号公報に開示されるように、印刷部と転写部の間にストック画像を設けることで印刷装置としてのスループットを上げることが可能であるが、特開２００４−７４５５７号公報に示すような通帳類の滞留部を印刷装置内部に持たない限り、本願発明の実施形態のように通帳固有情報を印刷装置内部で読み出すことは困難である。このため、ここでは通帳類固有情報は先にデータ入力制御部５１に入力されることが必要となる。
【００７０】
オペレータは、取込可能の表示と同時に、印刷装置またはデータ入力制御部５１が表示する通帳固有情報を有する通帳類Ｔを、１冊ずつ印刷するページを開いて、印刷装置に挿入する。
【００７１】
挿入された通帳類Ｔは無線ＩＣリーダライタ５に搬送されてその無線ＩＣ４３とリーダライタ５が交信し、無線ＩＣ４３から通帳固有情報データを読み出す。この時、無線ＩＣ故障等の不具合により交信が成立しない、交信が可能でも無線ＩＣ４３内の通帳類固有番号が規定と異なる場合は、印刷装置はその旨をオペレータに通知し、取り込んだ通帳類を挿入排出口１ａに戻す。
【００７２】
また、通帳固有情報に含まれる種別が、データ入力制御部５１から送られてきた印刷データに含まれる種別と一致しない場合は、印刷装置はその旨をオペレータに通知し、取り込んだ通帳類を挿入排出口１ａに戻す。
【００７３】
正常な交信が成立した場合は、無線ＩＣ４３から読み取った固有情報が、データ入力制御部５１から送られてきた印刷データ内の通帳固有情報と一致しているかを確認し、一致しない場合は、印刷装置はその旨をオペレータに通知し、取り込んだ通帳類を出入口１ａに戻す。
【００７４】
一致する場合には、通帳類Ｔを光学式センサ部に搬送、ページマークを光学式センサ６で読み取り、開かれた通帳類のページが正しいか、通帳類の挿入方向が正しいかをチェックする。通帳類の挿入方向が正しい場合には、通帳類を印刷部に搬送して上記したように中間転写フィルム上に形成された画像を、転写部にて通帳類表面に転写する。この時、通帳固有情報をそのまま、もしくは加工して、印刷情報の一部に加えて図８に示すように印刷する。
【００７５】
上側ページＴｎには、通帳固有情報が文字で付与されており、固有情報を含むデータが無線ＩＣ４３の内部にも書き込まれている。下側ページＴａには、通帳類の所持人カラー顔画像４４と、所持人やその他のセキュリティ情報４６に加えて通帳固有情報４２ａが黒文字で印刷されている。
【００７６】
この実施においても上記した実施の形態と同様の作用効果を奏する。
【００７７】
その他、本発明は、その要旨の範囲内で種々変形実施可能なことは勿論である。
【図面の簡単な説明】
【００７８】
【図１】本発明の一実施の形態である通帳類印刷装置を概略的に示す構成図。
【図２】同通帳類印刷装置に備えられる転写印刷部を示す構成図。
【図３】同転写印刷部で用いられる転写フィルムを示すもので、（ａ）はその第１の例、（ｂ）はその第２の例、（ｃ）はその第３の例を示す構成図。
【図４】同通帳類印刷装置で印刷される未印刷状態の通帳類を開いた状態で示す平面図。
【図５】同通帳類印刷装置の制御部を示すブロック図。
【図６】同転写印刷部の転写動作を示す図。
【図７】同転写印刷部の転写動作の一部を拡大して示す図。
【図８】同転写印刷部で印刷された通帳類を示す平面図。
【図９】図４の通帳類を示す斜視図。
【図１０】通帳類の他の例を示す斜視図。
【符号の説明】
【００７９】
Ｔ…通帳類、２ａ〜２ｄ…搬送ローラ対（搬送手段）、５…無線ＩＣ Ｒ／Ｗ部（無線読取手段）、８…中間転写印刷部（印刷手段）、４３…無線ＩＣ、５１…データ入力制御部（入力手段）、５８…印刷装置制御部（判別手段）。
【図１】
2005332141.tif 000003
【図２】
2005332141.tif 000004
【図３】
2005332141.tif 000005
【図４】
2005332141.tif 000006
【図５】
2005332141.tif 000007
【図６】
2005332141.tif 000008
【図７】
2005332141.tif 000009
【図８】
2005332141.tif 000010
【図９】
2005332141.tif 000011
【図１０】
2005332141.tif 000012